(57)【要約】【課題】新設枠を既設枠の外側に取り付けやすい改装建具を提供すること。【解決手段】建物１００の開口１０１に設けられた既設ドア枠３と、既設ドア枠３の内周面を覆うように設けられたドア枠２と、を備える改装建具１であって、ドア枠２は、既設ドア枠３のみに固定されている、改装建具１である。改装建具１は、開口１０１を開閉するドア本体４をさらに備え、既設ドア枠３は、内周面の四周に沿って内側に突出するように設けられ、既設ドア枠３に取り付けられていた戸体との隙間を塞ぐ気密材を取り付ける気密材取付部３１３、３３３、３４３を有し、ドア枠２は、気密材取付部３１３、３３３、３４３の見込方向外側に取り付けられる。【選択図】図３
2019120018.tif 000002
【特許請求の範囲】
【請求項１】
建物の開口に設けられた既設枠と、前記既設枠の内周面を覆うように設けられた新設枠と、を備える改装建具であって、
前記新設枠は、前記既設枠のみに固定されている、改装建具。
【請求項２】
前記開口を開閉する戸体をさらに備え、
前記既設枠は、前記内周面の四周に沿って内側に突出するように設けられ、前記既設枠に取り付けられていた戸体との隙間を塞ぐ気密材を取り付ける気密材取付部を有し、
前記新設枠は、前記気密材取付部の見込方向外側に取り付けられる、請求項１に記載の改装建具。
【請求項３】
前記新設枠は、前記気密材取付部に当接して取り付けられる、請求項２に記載の改装建具。
【請求項４】
前記既設枠は、前記建物の躯体の前記開口側の見込面から室外側面を覆うように取り付けられる、請求項１〜３のいずれか１項に記載の改装建具。
【発明の詳細な説明】
【技術分野】
【０００１】
本発明は、改装建具に関する。
【背景技術】
【０００２】
従来、建物の開口に取り付ける建具に関して、リフォーム等で改装する際に、既に取り付けられている既設枠を外さずに、新設枠を取り付けることが知られている。この場合、既設枠が見えないように、新設枠は既設枠を覆うように配置される。（例えば、特許文献１参照）。
【先行技術文献】
【特許文献】
【０００３】
【特許文献１】特開２０１６−３３２８２号公報
【発明の概要】
【発明が解決しようとする課題】
【０００４】
既設枠は、主に、建物の開口の外側から見込方向の内側に向かって取り付けられるねじと、既設枠の枠体の内側から見付方向外側に向かって取り付けられるねじにより、建物の躯体に取り付けられている。新設枠を既設枠に取り付けようとする際には、すでに安定して建具を取り付けられることができる位置にねじが位置しており、２本のねじを避けなければならなかった。このため、新設枠を既設枠に取り付ける際、ねじを締結できる位置の自由度が制限されており、施工しづらいという問題があった。
【０００５】
本発明は、新設枠を既設枠の外側に取り付けやすい改装建具を提供することを目的とする。
【課題を解決するための手段】
【０００６】
本発明は、建物（例えば、後述の建物１００）の開口（例えば、後述の開口１０１）に設けられた既設枠（例えば、後述の既設ドア枠３）と、既設枠の内周面を覆うように設けられた新設枠（例えば、後述のドア枠２）と、を備える（例えば、後述の改装建具１）であって、前記新設枠は、前記既設枠のみに固定されている、改装建具に関する。
【０００７】
前記開口を開閉する戸体（例えば、後述のドア本体４）をさらに備え、前記既設枠は、前記内周面の四周に沿って内側に突出するように設けられ、前記既設枠は、前記内周面の四周に沿って内側に突出するように設けられ、前記既設枠に取り付けられていた戸体との隙間を塞ぐ気密材を取り付ける気密材取付部（例えば、後述の気密材取付部３１３、３３３、３４３）を有し、前記新設枠は、前記気密材取付部の見込方向外側に取り付けられることが好ましい。
【０００８】
前記新設枠は、前記気密材取付部に当接して取り付けられることが好ましい。
【０００９】
前記既設枠は、前記建物の躯体（例えば、後述の梁部材１１１、柱部材１１２）の前記開口側の見込面から室外側面を覆うように取り付けられることが好ましい。
【発明の効果】
【００１０】
本発明によれば、新設枠を既設枠の外側に取り付けやすい改装建具を提供することができる。
【図面の簡単な説明】
【００１１】
【図１】本実施形態に係る建具を屋外側から視た図である。
【図２】本実施形態に係る建具が建物の開口に納められた状態の縦断面図である。
【図３】本実施形態に係る建具が建物の開口に納められた状態の横断面図である。
【発明を実施するための形態】
【００１２】
以下、本発明の実施形態について、図面を参照しながら詳しく説明する。なお、本明細書において、「見付方向」とは、建物に形成された開口部に納められた建具におけるドア本体の幅方向（すなわち、左右方向）を意味し、「見込方向」とは、上記ドア本体の奥行き方向を意味する。
【００１３】
図１は、本実施形態に係る改装建具１（以下、単に建具１とも言う）を屋外側から視た図である。本実施形態における建具１は、建物１００に既に取り付けられていた建具１を構成する既設の部材のうち、脱着が可能な部分を交換するとともに、建物１００に固定されている既設の部材を建物１００に取り付けたままで、新たな部材を新設して形成するリフォーム用の改装建具１である。
図１に示すように、建具１は、玄関ドア等のドアであり、建物１００に形成された開口１０１に納められる。建具１は、新設枠としてのドア枠２と、戸体としてのドア本体４と、建具用額縁５と、を備える。
【００１４】
ドア本体４は、長方形の板材により構成され、開口１０１を開閉するように取り付けられる。ドア本体４は、丁番４１を介して屋外側（図中手前側）で開閉可能に吊り込まれる。そして、ドア本体４の戸先側には、シリンダー錠４２及びハンドル４３が取り付けられている。
【００１５】
ドア枠２及び建具用額縁５は、建物１００の開口１０１における開口縁１０２に沿って、ドア本体４の周囲に配置されている。ドア枠２及び建具用額縁５については、後に詳述する。
【００１６】
図２は、本実施形態に係る建具１が建物１００の開口１０１に納められた状態の縦断面図で、図３は、本実施形態に係る建具１が建物１００の開口１０１に納められた状態の横断面図である。なお、以下において左右とは、屋外側から視た場合の左右を意味する。つまり、図３において、見付方向で、吊元側が右側、戸先側が左側である。
【００１７】
図２及び３に示すように、開口１０１は、建物１００の躯体としての梁部材１１１及び左右の柱部材１１２と、屋内側の床材１１３と、により四周を区画されている。
梁部材１１１及び左右の柱部材１１２の内面側には、室内側額縁材１１４が配置されている。室内側額縁材１１４は、梁部材１１１に対してはスペーサ１１５を介して固定され、右方の柱部材１１２に対しては直接固定される。
【００１８】
梁部材１１１と左右の柱部材１１２の少なくとも屋内側には、断熱材１１９が配置される。断熱材１１９と梁部材１１１の間には、スペーサ１１５が配置される。
梁部材１１１及び左右の柱部材１１２の屋外側には、外装パネル１１８が配置されている。この外装パネル１１８の端縁により、開口１０１の縁としての開口縁１０２が区画されている。
【００１９】
床材１１３は、化粧材１１６及びモルタル１１７により構成されている。化粧材１１６は、建具１の室外側及び室内側ともに、モルタル１１７の上面側に水平に配置されている。
【００２０】
図２及び図３に示すように、ドア枠２が、既設枠としての既設ドア枠３の幅方向の内側且つ室外側に取り付けられる。図２及び図３において、既設ドア枠３は、破線で示されている。
【００２１】
まず、既設ドア枠３の構成について説明する。
既設ドア枠３は、開口１０１の内側に設けられ、長方形の枠状に形成される。既設ドア枠３は、既設上枠３１と、既設下枠３２と、左右の既設縦枠３３、３４と、により構成され、気密材取付部３１３、３３３、３４３を有する。既設ドア枠３は、躯体（梁部材１１１、柱部材１１２）の開口１０１側における見込面から室外側面を覆うように、いわゆる半外納まりで取り付けられる。
【００２２】
図２に示すように、既設上枠３１は、断面方形（ホロー構造）に形成され、梁部材１１１の下方にスペーサ１１５を介して固定されている。
既設上枠３１は、室内部分３１１と、室外部分３１２と、気密材取付部３１３と、を有する。
【００２３】
室内部分３１１は、断面視略コの字型の形状をし、開口側が梁部材１１１に当接するように固定される。室内部分３１１は、室内側額縁材１１４の室外側に当接し、室内部分３１１の下方の側面と、室内側額縁材１１４の下方の側面とが連続する一面となるように梁部材１１１の下方に取り付けられる。
室内部分３１１では、既設上枠取付ねじ３１１ａが既設ドア枠３の上下方向に延びるように締結され、室内部分３１１は、既設上枠取付ねじ３１１ａにより梁部材１１１に固定される。
【００２４】
室外部分３１２は、室内部分３１１から連続して室外側に突出する。室外部分３１２は、額縁部３１２ａと、額縁取付部３１２ｂとを有する。
額縁部３１２ａは、内部が中空に形成されて室外側に突出するとともに、開口１０１の開口縁１０２の周囲に沿って配置される。額縁部３１２ａは、室内部分３１１の室外側から上方に延び、梁部材１１１の室外側面に一部が当接されている。
額縁取付部３１２ｂは、額縁部３１２ａの上下方向の最も上方の端部から、柱部材１１２の室外側面に沿って延出する板状の部分である。室外部分３１２では、既設上枠取付ねじ３１２ｃが既設ドア枠３の見込方向に延びるように締結され、室外部分３１２は、既設上枠取付ねじ３１２ｃにより、柱部材１１２に固定される。
【００２５】
気密材取付部３１３は、室内部分３１１の下方の側面から既設ドア枠３の下方に向かって突出する部分である。気密材取付部３１３は、室内部分３１１を基端部とし、既設ドア枠３の下方を先端部とする板状の部材であり、先端部の室外側面に、既設ドア枠３に取り付けられていた戸体としての改装前のドア本体（図示せず）を取り付けた場合に、改装前のドア本体との間の隙間を防ぐ弾性パッキン等の気密材（図示せず）が取り付けられる係止部３１３ｃが設けられている。
気密材取付部３１３は、改装前のドア本体を取り付けた場合に、改装前のドア本体の室外側と室内側の境界近傍に配置されている。
【００２６】
既設下枠３２は、平板状の部材が屈曲して形成されている。既設下枠３２は、室内側水平面３２１と、室外側水平面３２２と、段差部３２３と、室外側段差部３２４と、を有する。
室内側水平面３２１は、室内側で水平方向に延び、室内の床面と同じ高さに設けられる面である。
室外側水平面３２２は、室内側水平面３２１よりも下方で、室外側に向かって延びる面である。
段差部３２３は、室内側水平面３２１及び室外側水平面３２２を上下方向に接続する部分である。段差部３２３は、既設上枠３１の気密材取付部３１３の直下に配置され、気密材取付部３１３の係止部３１３ｃの外側端部から垂直方向に延ばした仮想線の延長線上に延びる（図２中では、上枠２１の室内側側面の線として表れている）。
室外側段差部３２４は、室外側水平面３２２の室外側端部から屈曲して下方に延びる。
既設下枠３２は、既設上枠３１に対向する位置で、モルタル１１７の上面に直接固定され、一部がモルタル１１７に埋め込まれている。
【００２７】
図３に示すように、左右の既設縦枠３３、３４は、室内部分３３１、３４１と、室外部分３３２、３４２と、気密材取付部３３３、３４３と、を有する。
【００２８】
室内部分３３１、３４１は、断面視略コの字型の形状をし、開口側が柱部材１１２に当接するように固定される。室内部分３３１、３４１は、室内側額縁材１１４の室外側に当接し、室内部分３３１、３４１の見込面と、室内側額縁材１１４の見込面とが連続する一面となるように柱部材１１２の室内側に取り付けられる。
室内部分３３１、３４１では、既設縦枠取付ねじ３３１ａ、３４１ａが既設ドア枠３の見付方向に延びるように締結され、室内部分３３１、３４１は、既設縦枠取付ねじ３３１ａ、３４１ａにより柱部材１１２に固定される。
【００２９】
室外部分３３２、３４２は、室内部分３３１、３４１から連続して室外側に突出する。室外部分３３２、３４２は、額縁部３３２ａ、３４２ａと、額縁取付部３３２ｂ、３４２ｂとを有する。
額縁部３３２ａ、３４２ａは、内部が中空に形成されて室外側に突出するとともに、開口１０１の開口縁１０２の周囲に沿って配置される。額縁部３３２ａ、３４２ａは、室内側では、室内部分３３１、３４１の室外側から見付方向外側に延び、柱部材１１２の室外側面に一部が当接されている。
額縁取付部３３２ｂ、３４２ｂは、額縁部３３２ａ、３４２ａの見付方向の最も外側の端部から、柱部材１１２の室外側面に沿って延出する板状の部分である。
室外部分３３２、３４２では、既設縦枠取付ねじ３３２ｃ、３４２ｃが既設ドア枠３の見込方向に延びるように締結され、室外部分３３２、３４２は、既設縦枠取付ねじ３３２ｃ、３４２ｃにより、柱部材１１２に固定される。
【００３０】
気密材取付部３３３、３４３は、室内部分３３１、３４１の室内側の見込面から既設ドア枠３の内側に向かって突出する部分である。気密材取付部３３３、３４３は、室内部分３３１、３４１を基端部とし、既設ドア枠３の内側を先端部とする板状の部材であり、先端部の室外側面に、改装前のドア本体を取り付けた場合に、改装前のドア本体との間の隙間を防ぐ気密材が取り付けられる係止部３３３ｃ、３４３ｃが設けられている。
既設上枠３１の気密材取付部３１３、及び既設縦枠３３、３４の気密材取付部３３３、３４３は、既設ドア枠３の内周面に沿って、内側に突出するように設けられる。
【００３１】
次に、ドア枠２の構成について説明する。
ドア枠２は、開口１０１の内側に配置され、長方形の枠状に形成される。ドア枠２は、既設ドア枠３の内周面を覆って既設ドア枠３に部分的に重なるように取り付けられる。ドア枠２は、既設ドア枠３のみに固定される。ドア枠２は、既設ドア枠３の室外側、詳細には、既設ドア枠３の気密材取付部３１３、３３３、３４３の見込方向外側に取り付けられる。ドア枠２は、上枠２１と、下枠２２と、左右の縦枠２３、２４と、内額縁２５と、を有する。
【００３２】
図２に示すように、上枠２１は、断面方形（ホロー構造）に形成され、その下面がドア本体４の上面に対向している。上枠２１の室内側面は、既設ドア枠３の気密材取付部３１３と見込方向室外側にずれた位置に配置される。より具体的には、上枠２１の室内側面は、既設ドア枠３の係止部３１３ｃに当接するように取り付けられる。上枠２１は、既設上枠３１にスペーサを介して上枠取付ねじ６１で固定されている。上枠２１は、上枠取付ねじ６１が既設上枠３１の室外部分３１２に締結されることで固定される。上枠取付ねじ６１は、締結後の位置が梁部材１１１と見込方向外側にずれている。上枠取付ねじ６１は、軸先が上方に向かうように既設上枠３１のみに締結され、梁部材１１１には締結されていない。
上枠２１は、下方に延びる上枠パッキン取り付け部２１ａを有し、ドア本体４を傷つけないように受け止めるシールパッキン９１が上枠パッキン取り付け部２１ａに取り付けられている。
【００３３】
下枠２２は、上枠２１に対向して配置され、水平面２２１と、立ち上がり部２２２と、室外側段差部２２３と、を有する。
水平面２２１は、平坦で、水平方向に延びてドア本体４の下面に対向する。水平面２２１は、既設下枠３２の室外側水平面３２２の上に載るように設置される。
立ち上がり部２２２は、水平面２２１から上方に向かって起立する部分である。立ち上がり部２２２は、既設下枠３２の段差部３２３の室外側面に沿って固定される。立ち上がり部２２２の高さは、既設ドア枠３の段差部３２３の高さと概ね同様の高さに形成されている。立ち上がり部２２２は、室外側の面に下枠パッキン取り付け部２２ａを有し、上枠２１の場合と同様に、シールパッキン９１が下枠パッキン取り付け部２２ａに取り付けられている。
室外側段差部２２３は、水平面２２１の室外側の端部から下方に延び、床材１１３の化粧材１１６の上に支持される。室外側段差部２２３の室外側の端部は、上枠２１の室外側端部から垂直方向下方に延ばした仮想線の延長線上に延びる（図２中では、上枠２１の室外側側面の線として表れている）。
【００３４】
図３に示すように、左右の縦枠２３、２４は、断面方形（ホロー構造）に形成され、その内側の側面がドア本体４の見込方向の面に対向している。左右の縦枠２３、２４の室内側面は、既設ドア枠３の気密材取付部３３３、３４３と見込方向外側にずれた位置に配置される。より具体的には、左右の縦枠２３、２４の室内側面は、既設ドア枠３の係止部３３３ｃ、３４３ｃに当接するように取り付けられる。左右の縦枠２３、２４は、左右の既設縦枠３３、３４の室外部分３３２、３４２に、スペーサ１１５を介して固定されている。左右の縦枠２３、２４は、縦枠取付ねじ６２が既設縦枠３３、３４の室外部分３３２、３４２に締結されることで固定される。縦枠取付ねじ６２は、締結後の位置が柱部材１１２と見込方向外側にずれている。縦枠取付ねじ６２は、軸先が見付方向外側に向かうように既設縦枠３３、３４にのみ締結され、柱部材１１２には締結されていない。
左右の縦枠２３、２４は、それぞれドア本体４の内側に向かって延びる縦枠パッキン取り付け部２３ａ、２４ａを有し、上枠２１及び下枠２２の場合と同様に、シールパッキン９１が縦枠パッキン取り付け部２３ａ、２４ａに取り付けられている。
【００３５】
内額縁２５は、図２及び図３に示すように、ドア枠２の内側の面から室内側に向かって延びるよう上枠２１と、左右の縦枠２３、２４の三方に設けられている。内額縁２５は、既設ドア枠３の室内側の一部と、室内側額縁材１１４の一部とを覆うように配置される。
内額縁２５は、内額縁内側面２５１と、室内側側面部２５２と、を有する。内額縁内側面２５１は、室外側から室内側に向かって延びる平板状の面である。室内側側面部２５２は、内額縁内側面２５１から垂直方向に屈曲する平板状の面である。内額縁２５は、ねじにより室内側額縁材１１４に固定されている。
【００３６】
建具用額縁５は、上枠２１及び左右の縦枠２３、２４に連結され、既設ドア枠３の室外部分３１２、３３２、３４２を覆うように取り付けられる額縁部材である。建具用額縁５は、断面視で略コの字状の形状を有する。建具用額縁５は、建具１の開口１０１の開口縁１０２に沿ってドア枠２に取り付けられる直線的な縦長の形状を有する。建具用額縁５は、化粧面部５１と、長さ調整部５２と、嵌合部５３と、を有する。建具用額縁５は、アルミ材により形成されている。
【００３７】
化粧面部５１は、ドア枠２の見付け面の少なくとも一部を覆うように配置される。化粧面部５１は、断面視で略コの字状の形状を有し、既設ドア枠３の室外部分３１２、３３２、３４２を覆うように配置される。
【００３８】
長さ調整部５２は、縦枠２３、２４における化粧面部５１の見付方向外側の端部、及び上枠２１における化粧面部５１上方端部に連結され、建具１の見込方向を覆うように延びる縦長の平板状の部材である。長さ調整部５２は、長手方向が開口縁１０２の各辺に沿うように配置される。
【００３９】
嵌合部５３は、化粧面部５１と、長さ調整部５２にそれぞれ形成され、互いを連結可能に構成されている。
【００４０】
次に、ドア枠２の施工方法について説明する。
改装の際には、既設ドア枠３が建物の開口縁１０２に半外納まりで取り付けられている。ドア枠２を既設ドア枠３に取り付ける前に、既設ドア枠３に取り付けられていたドア本体を取り外す。また、既設ドア枠３の気密材取付部３１３、３３３、３４３の係止部３１３ｃ、３３３ｃ、３４３ｃに係止されていた気密材をカッター等で取り除く。
【００４１】
図２に示すように、既設上枠３１では、室内部分３１１の既設上枠取付ねじ３１１ａが既設ドア枠３の上下方向に、室外部分３１２の既設上枠取付ねじ３１２ｃが既設ドア枠３の見込方向に向かって締結されており、互いの軸が交差するとともに、軸先が近づく方向に延びている。ドア枠２の上枠２１を取り付けようとする際には、上枠取付ねじ６１を取り付けることのできる空間が限定されている。そこで、上枠取付ねじ６１を、上枠２１から既設ドア枠３の室外部分３１２を貫通するように締結する。このとき、上枠取付ねじ６１を、既設ドア枠３のみに固定し、隣接する梁部材１１１から室外側にずれるように、梁部材１１１に沿って配置する。上枠取付ねじ６１の位置は、なるべく室内側寄り、梁部材１１１側寄りが好ましい。
【００４２】
また、既設上枠３１から、気密材取付部３１３が下方に突出している。ドア枠２を取り付ける前に気密材取付部３１３から気密材を取り除いた係止部３１３ｃに、新設の上枠２１の室内側面を当接させるように取り付け、気密材取付部３１３を取り除かずに、残したままにする。
【００４３】
既設下枠３２では、既設下枠３２の段差部３２３の室外側面に、立ち上がり部２２２が沿うように固定する。段差部３２３は、既設ドア枠３の気密材取付部３１３と位置合わせがされて取り付けられているので、立ち上がり部２２２を段差部３２３に当接させるだけで、ドア枠２の上下の位置合わせを同時にできることとなる。また、立ち上がり部２２２を段差部３２３の室外側に配置すれば、立ち上がり部２２２の高さは、段差部３２３と概ね同様であるため、既設下枠３２側の開口縁１０２よりも大きく狭くならずに取り付けられる。既設下枠３２は、立ち上がり部２２２からモルタル１１７に向かってねじを締結することで固定される。
【００４４】
図３に示すように、左右の縦枠２３、２４では、既設縦枠取付ねじ３３１ａ、３４１ａが既設ドア枠３の見付方向に、既設縦枠取付ねじ３３２ｃ、３４２ｃが既設ドア枠３の見込方向に延びるように締結されており、互い軸が交差するとともに、軸先が近づく方向に延びている。左右の縦枠２３、２４を取り付けようとする際には、縦枠取付ねじ６２を取り付けることのできる空間が限定されている。そこで、縦枠取付ねじ６２を、左右の縦枠２３、２４から既設ドア枠３の室外部分３３２を貫通するように締結する。このとき、縦枠取付ねじ６２を、既設ドア枠３のみに固定し、隣接する柱部材１１２から室外側方向にずれるように、柱部材１１２に沿って配置する。縦枠取付ねじ６２の位置は、なるべく室内側寄り、柱部材１１２側寄りが好ましい。
【００４５】
また、左右の縦枠２３、２４から気密材取付部３３３、３４３が見付方向内側に突出している。ドア枠２を取り付ける前に気密材取付部３３３、３４３から気密材を取り除いた係止部３３３ｃ、３４３ｃに新設の左右の縦枠２３、２４の室内側面を当接させるように取り付け、気密材取付部３３３、３４３を取り除かずに、残ったままにする。
【００４６】
本実施形態によれば、以下の効果が奏される。
本実施形態では、建物１００の開口１０１に設けられた既設ドア枠３と、既設ドア枠３の内周面を覆うように設けられたドア枠２と、を備える改装建具１を、ドア枠２が、既設ドア枠３のみに固定させた。
これにより、ドア枠２を取り付ける際、既設ドア枠３を梁部材１１１や柱部材１１２に取り付けている既設上枠取付ねじ３１１ａ、３１２ｃ、既設縦枠取付ねじ３３１ａ、３４１ａ、既設縦枠取付ねじ３３２ｃ、３４２ｃを避けなくても、上枠取付ねじ６１や縦枠取付ねじ６２を、梁部材１１１、柱部材１１２の室外側に締結することで、ドア枠２を既設ドア枠３の外側に容易に取り付けることができる。
【００４７】
また、本実施形態では、開口１０１を開閉するドア本体４をさらに含んで構成した。また、既設ドア枠３を、内周面の四周に沿って内側に突出するように設けられ、既設ドア枠３に取り付けられていたドア本体との隙間を塞ぐ気密材を取り付ける気密材取付部３１３を含んで構成した。また、ドア枠２を、気密材取付部３１３、３３３、３４３の見込方向外側に取り付けた。これにより、既設ドア枠３の気密材取付部３１３、３３３、３４３の見込方向外側にドア枠２を取り付ければよいので、ドア枠２を既設ドア枠３に取り付ける際に、気密材取付部３１３、３３３、３４３を取り除く追加的な加工を必要とせずに、ドア枠２を既設ドア枠３に容易に取り付けることができる。
【００４８】
また、本実施形態では、ドア枠２を、気密材取付部３１３、３３３、３４３に当接して取り付けた。これにより、既設ドア枠３はすでに既設上枠３１、既設下枠３２、既設縦枠３３、３４の位置決めがなされているので、既設ドア枠３の気密材取付部３１３、３３３、３４３にドア枠２を当接させるだけで、ドア枠２の上枠２１、下枠２２、縦枠２３、２４の位置決めが自動的にでき、施工が容易になる。
【００４９】
また、本実施形態では、既設ドア枠３は、建物１００の躯体（梁部材１１１、柱部材１１２）の開口１０１側の見込面から室外側面を覆うように取り付けた。すなわち既設ドア枠３を、いわゆる半外納まりで取り付けた。これにより、既設ドア枠３の室内部分３１１、３３１、３４１から見付方向内側に気密材取付部３１３、３３３、３４３が突出していても、上枠２１及び左右の縦枠２３、２４をそれぞれ気密材取付部３１３、３３３、３４３の室外側に配置することができるので、気密材取付部３１３、３３３、３４３を取り除くための加工が必要なくなる。また、気密材取付部３１３、３３３、３４３により、ドア枠２の位置決めが容易になり、上記と同様の効果を奏する。また、半外納まりの既設ドア枠３にドア枠２を取り付けることで、開口１０１を広くとることができる。
【００５０】
以上、本発明の好ましい実施形態について説明したが、本発明は、上述の実施形態に制限されるものではなく、適宜変更が可能である。
【００５１】
例えば、上記実施形態では、ドア枠２を半外納まりに取り付けた構造を例に説明したが、これに限られない。ドア枠２をいわゆる内付で取り付けて、上枠取付ねじ及び縦枠取付ねじが短く構成した場合も含む。すなわち、内付で、ねじが梁部材や柱部材に到達しないため、ねじが既設ドア枠３にのみ締結されている場合も本発明の範囲である。
【符号の説明】
【００５２】
１      改装建具
２      ドア枠（新設枠）
３      既設ドア枠（既設枠）
４      ドア本体（戸体）
１００  建物
１１１  梁部材（躯体）
１１２  柱部材（躯体）
３１３、３３３、３４３  気密材取付部
【図１】
2019120018.tif 000003
【図２】
2019120018.tif 000004
【図３】
2019120018.tif 000005